(57)【要約】【課題】スムーズなプリズム度数の変化を実現でき、正確な視機能検査を可能にする検眼装置を提供すること。【解決手段】被検眼にプリズム度数を付与するロータリプリスムと、該ロータリプリスムをプリズム度数が変化する方向に回転駆動させるパルスモータと、該パルスモータの回転を前記ロータリプリズムに伝達する回転伝達手段と、前記ロータリプリズムの回転開始と回転停止の指令信号を入力する指令手段と、該指令手段による回転開始の指令信号が入力された後、回転停止の指令信号が入力されるまで、前記パルスモータを５パルス／秒以上の速度、かつ０．１〜１．０プリズム／秒の速度でプリズム度数を変化させるように駆動する制御手段と、を備える。【選択図】        図３
2004229789.tif 000002
【特許請求の範囲】
【請求項１】
検眼窓に種々の光学素子を切換え配置して被検眼の屈折力を自覚的に検査する検眼装置において、被検眼にプリズム度数を付与するロータリプリスムと、該ロータリプリスムをプリズム度数が変化する方向に回転駆動させるパルスモータと、該パルスモータの回転を前記ロータリプリズムに伝達する回転伝達手段と、前記ロータリプリズムの回転開始と回転停止の指令信号を入力する指令手段と、該指令手段による回転開始の指令信号が入力された後、回転停止の指令信号が入力されるまで、前記パルスモータを５パルス／秒以上の速度、かつ０．１〜１．０プリズム／秒の速度でプリズム度数を変化させるように駆動する制御手段と、を備えることを特徴とする検眼装置。
【請求項２】
請求項１の検眼装置において、前記回転伝達手段は、パルスモータの１ステップ当たりの回転によるプリズム度数を０．０５プリズム以下のステップで変化させることを特徴とする検眼装置。
【請求項３】
請求項１の検眼装置において、プリズム度数を変化させる速度を切換える切換え手段を備えることを特徴とする検眼装置。
【請求項４】
請求項１の検眼装置において、さらに被検眼に付与するプリズム度数を指定する指定手段を備え、前記制御手段は前記指定手段による信号があったときは、前記０．１〜１．０プリズム／秒より速い速度で指定されたプリズム度数となるように前記パルスモータを駆動制御することを特徴とする検眼装置。
【発明の詳細な説明】
【０００１】
【発明の属する技術分野】
本発明は、被検眼の視機能検査に好適な検眼装置に関する。
【０００２】
【従来技術】
被検眼に屈折異常がありこれを矯正する場合には、種々の光学特性の光学素子を検査窓に切り替え配置して被検眼の屈折力を自覚的に検査する検眼装置を使用する。この種の検眼装置では、被検眼に付与するプリズム度数を変化させて斜位や開散力、輻輳力等の視機能を検査できる。被検眼へのプリズム度数の付与には、被検眼の測定光軸を中心に互いに独立して回転可能な一対のロータリプリスムが用いられている（特許文献１、特許文献２参照）。
【０００３】
【特許文献１】
特開昭６４−２０８２４号公報（第２〜３、５頁、第１、２、４図）
【０００４】
【特許文献２】
特開平１１−１９０４１号公報（第１５頁、第２６、２７図）
【０００５】
【発明が解決しようとする課題】
しかしながら、従来装置においては、ロータリプリズムをパルスモータで回転駆動させると、安価なパルスモータではパルスモータのステップ角が大きい（７．５°／ＳＴＥＰ）ので、最低単位のプリズムステップも０．１プリズムと大きくなっていた。また、プリズム度数を変化させるスイッチからの信号が、表示器に変更後のプリズム値を表示させた後に送信されたり、プリズム度数等のデータ信号によって伝達され、パルスモータを駆動するまでに時間が掛かり、さらに、０．１プリズム毎にデータ信号が送られていた。このため、０．１プリズムステップ単位での断続的な動作となり、結果的に手動式の検眼装置のようにスムーズな動作が得られないという問題があった。この結果、特に、スムーズな動きが必要な輻輳テストや開散テストでは、検査がしづらかった。
【０００６】
本発明は、上記問題点に鑑み、スムーズなプリズム度数の変化を実現でき、正確な視機能検査を可能にする検眼装置を提供することを技術課題とする。
【０００７】
【課題を解決するための手段】
上記課題を解決するために、本発明は以下のような構成を備えることを特徴とする。
【０００８】
（１）  検眼窓に種々の光学素子を切換え配置して被検眼の屈折力を自覚的に検査する検眼装置において、被検眼にプリズム度数を付与するロータリプリスムと、該ロータリプリスムをプリズム度数が変化する方向に回転駆動させるパルスモータと、該パルスモータの回転を前記ロータリプリズムに伝達する回転伝達手段と、前記ロータリプリズムの回転開始と回転停止の指令信号を入力する指令手段と、該指令手段による回転開始の指令信号が入力された後、回転停止の指令信号が入力されるまで、前記パルスモータを５パルス／秒以上の速度、かつ０．１〜１．０プリズム／秒の速度でプリズム度数を変化させるように駆動する制御手段と、を備えることを特徴とする。
【０００９】
（２）  （１）の検眼装置において、前記回転伝達手段は、パルスモータの１ステップ当たりの回転によるプリズム度数を０．０５プリズム以下のステップで変化させることを特徴とする。
【００１０】
（３）  （１）の検眼装置において、プリズム度数を変化させる速度を切換える切換え手段を備えることを特徴とする。
【００１１】
（４）  （１）の検眼装置において、さらに被検眼に付与するプリズム度数を指定する指定手段を備え、前記制御手段は前記指定手段による信号があったときは、前記０．１〜１．０プリズム／秒より速い速度で指定されたプリズム度数となるように前記パルスモータを駆動制御することを特徴とする。
【００１２】
【発明の実施の形態】
以下、本発明の一実施例を図面に基づいて説明する。図１は実施例である検眼装置の全体構成を示す外観図である。
【００１３】
１は被検者と検者の間に配置される検眼テ−ブル、２は自覚式屈折力測定装置である。自覚式屈折力測定装置２は、種々の光学素子を検眼窓１１に電動で切換え配置する左右一対のレンズユニット１０と、左右のレンズユニット１０を吊り下げる吊り下げ部１２を備える。レンズユニット１０は、右眼測定用のレンズユニット１０ａと左眼測定用のレンズユニット１０ｂから成る。
【００１４】
４は検査視標を呈示する投影式の視標呈示装置である。５は自覚式屈折力測定装置２及び投影式視標呈示装置４を操作するためのコントロ−ラ、６は各装置の通信中継を行うリレ−ユニットである。
【００１５】
図２はコントロ−ラ５を上から見た図である。３０は検眼情報を表示する液晶のディスプレイである。３１はスイッチ部であり、次のようなスイッチ類を持つ。３２は設定切換えスイッチ群であり、ディスプレイ３０の表示画面をメニュ−画面に切り替えてパラメ−タの設定等を行うときに使用するスイッチを持つ。３３は視標呈示装置４に呈示させる視標を切換える視標スイッチ群、３４は呈示視標に必要なマスクをかけるマスクスイッチ群、３５はプログラム検眼を実行するスタ−トスイッチ、３７は変更する測定デ−タ等のモ−ドを指定する変更モ−ド指定スイッチ群、３８はデ−タを入力する際のモ−ド又は測定するモ−ドを指定する入力デ−タ指定スイッチ群、３９は他覚式眼屈折力測定装置やレンズメ−タ等からのデ−タを入力するときに使用するデ−タ入力スイッチ、４１は測定眼指定スイッチである。
【００１６】
４３ａ、４３ｂはクロスシリンダテストやロータリプリズムを使用した解散テスト及び輻輳テストのときに使用するスイッチであり、解散テスト及び輻輳テストのときには、スイッチ４３ａによりプリズム度数が増加する方向にロータリプリズムが回転され、スイッチ４３ｂによりプリズム度数を減少する方向にロータリプリズムが回転される。また、スイッチ４３ａ、４３ｂはプリズム度数の変化を停止するためのスイッチ信号を入力する手段としても兼用されている。４２は測定値の変更や数値入力のときに使用するダイヤルスイッチであり、解散テスト及び輻輳テストのときには、プリズム度数の指定にも兼用される。４５はファンクションスイッチ群であり、ディスプレイ３０の画面下方の所定位置に表示される種々のスイッチ表示に対応したものを選択するときに使用する。
【００１７】
図３は、左眼測定用のレンズユニット１０ｂを上側から見た部分断面図である。Ｌは測定光軸であり、Ｅは被検眼を示す。左眼測定用のレンズユニット１０ｂのカバー１００内には、それぞれ開口及び複数の光学素子を備える６枚の回転ディスク１２１〜１２６が軸１３０を回転中心にして配置されている。各ディスクの配置は、被検眼Ｅ側から近い順に強球面レンズディスク１２１、弱球面レンズディスク１２２、第１補助レンズディスク１２３、強円柱レンズディスク１２４、弱円柱レンズディスク１２５、第２補助レンズディスク１２６となっている。各ディスクの外周にはギヤが形成されており、それぞれパルスモータ１１１〜１１６により回転され、光軸Ｌに配置する光学素子の切換えが行われる。
【００１８】
強球面レンズディスク１２１は強度数（−３〜−１８Ｄ、＋３〜＋１５Ｄ）の球面レンズ１３１を保持するものであり、弱球面レンズディスク１２２は弱度数（−０．２５〜−１Ｄ、＋０．２５〜＋１．７５Ｄ）の球面レンズ１３２を保持するものである。第１補助レンズディスク１２３は、補助レンズ１３３を保持するものであり、開口以外の穴には、遮蔽板（ＢＬ）、偏光板（Ｐ１３５，Ｐ４５）、マドックスレンズ（ＭＲ）、ピンホール（ＰＨ）、緑フィルタ／赤フィルタ（Ｒ／Ｇ）、分散プリズム（６／１０△）、眼幅調整用のマークが付された素通しのレンズ（ＰＤ）、＋１０Ｄの球面レンズ、−１０Ｄの球面レンズ、等が設けられている。
【００１９】
強円柱レンズディスク１２４は強度数（−１．５〜−７．５Ｄ）の円柱レンズ１３４を保持するものであり、弱円柱レンズディスク１２５は、弱度数（−０．２５〜−１．２５Ｄ）の円柱レンズ１３５を保持するものである。第２補助レンズディスク１２６には、ロータリプリズム１３６ａ、１３６ｂ、クロスシリンダレンズ１３６ｃ等の補助レンズが配置されている。ロータリプリズム１３６ａ、１３６ｂ、クロスシリンダレンズ１３６ｃは、光軸Ｌを中心にそれぞれ回転可能に設けられている。ロータリープリズム１３６ａ、１３６ｂは、同一度数の一対のプリズムが歯車等を介して連結されており、一対のプリズムを反対方向に同一角度回転することによって、プリズム度数が変化する。
【００２０】
次に、ロータリプリズム１３６ａ、１３６ｂの回転機構について説明する。ロータリプリズム１３６ａは歯車を持つホルダ１４６により、光軸Ｌを中心に回転可能に第２補助レンズディスク１２６に取り付けられている。ホルダ１４６の歯車は、軸１３０を中心に回転する太陽歯車１７６に噛み合っており、太陽歯車１７６に連結した歯車１７６ａ、リレー歯車１７８を介してパルスモータ１８１の回転がロータリプリズム１３６ａに伝達される。パルスモータ１８１には減速比が１／３０のギヤヘッド１８２が取付けられ、ギヤヘッド１８２の出力軸に固定されたギヤ１８３とリレー歯車１７８が噛みあっている。
【００２１】
また、ロータリプリズム１３６ｂはロータリプリズム１３６ａの反対側に光軸Ｌを中心に回転可能なホルダ１４７に取り付けられている。そのホルダ１４７の歯車を太陽歯車１７７に噛み合わせる。太陽歯車１７７には歯車１７７ａが連結しており、この歯車１７７ａにリレー歯車１７９を介してパルスモータ１８４の回転を伝達する。パルスモータ１８４には減速比が１／３０のギヤヘッド１８５が取付けられ、ギヤヘッド１８５の出力軸に固定されたギヤ１８６とリレー歯車１７９が噛みあっている。
【００２２】
ギヤヘッド１８２、１８５及び各歯車により、パルスモータ１８１，１８４の回転を減速してロータリプリズム１３６ａ、１３６ｂに伝達する回転伝達機構が構成されている。この回転伝達機構による減速は、ステップ角が大きい（７．５°／ＳＴＥＰ）パルスモータ１８１，１８４を使用した場合にも、各パルスモータの１ステップ当たり回転によるプリズム変化量が０．０５プリズム以下のステップ、さらに好ましくは０．０１プリズム以下のステップで変化するように構成されている。
【００２３】
なお、右眼測定用のレンズユニット１０ａは、左眼測定用のレンズユニット１０ｂと同様の構成であるのでその説明は割愛する。
【００２４】
図４は装置の制御を説明するためのブロック図である。コントローラ５のスイッチ部３１からのスイッチ信号は、所定の処理が施された後にマイクロコンピュ−タ回路５０に入力される。マイクロコンピュ−タ回路５０には検眼プログラム等の制御プログラムを記憶したメモリ５１と他覚値デ−タ等を記憶するメモリ５２が接続されており、マイクロコンピュ−タ回路５０はスイッチ信号をメモリ５１に記憶された制御プログラムに基づき各種デ−タに変換し、表示回路５３を介してディスプレイ３０の画面を制御する。また、変換信号をリレ−ユニット６のマイクロコンピュ−タ回路５５に入力したり、屈折力やレンズユニット１０の移動に関するデ−タを自覚式屈折力検査装置２に送る。マイクロコンピュ−タ回路５５は、視標に関するデ−タを視標呈示装置４に送る。
【００２５】
屈折力に関するデ−タを受けた自覚式屈折力検査装置２のマイクロコンピュ−タ回路６０は、右眼測定用のレンズユニット１０ａと左眼測定用のレンズユニット１０ｂをそれぞれ制御する。左眼測定用のレンズユニット１０ｂでは、マイクロコンピュ−タ回路６０は、駆動回路１０１を介してパルスモ−タ１１１を駆動し、強球面ディスク１２１を回転させ、所定の光学系を検査窓に配置する。また、同様にマイクロコンピュ−タ回路６０は、駆動回路１０２〜１０６を介してパルスモ−タ１１２〜１１６を駆動し、ディスク１２２〜１２６を回転させ、所定の光学素子を検査窓に配置する。マイクロコンピュ−タ回路６０は、プリズム度数を変化させる信号が入力されたときは、駆動回路１０７、１０８を介してパルスモ−タ１８１、１８４を駆動してロータリプリズム１３６ａ、１３６ｂを互いに反対方向に回転させる。マイクロコンピュ−タ回路６０は、右眼測定用のレンズユニット１０ａも同様に制御する。
【００２６】
視標に関するデ−タを受けた視標呈示装置４は、所定の検査視標を被検眼の前方に置かれた図示なきスクリ−ンに投影する。
【００２７】
また、マイクロコンピュ−タ回路５５には他覚式眼屈折力測定装置３やレンズメ−タ９が接続され、送られてくる測定デ−タをメモリ５６に格納する。コントロ−ラ５側のマイクロコンピュ−タ回路５０から読み出し指令信号が入力されると、マイクロコンピュ−タ回路５５は指定された測定デ−タをメモリ５６から読み出し、コントロ−ラ５側に転送する。
【００２８】
以上のような構成の装置のおいて、その動作を説明する。
【００２９】
本装置には、検査項目及び検査手順が予め設定された検眼プログラムがメモリ５１に記憶されているので、スタ−トスイッチ３５を押して検眼プログラムを実行する。ここでは、自覚検査の検眼プログラムを使用した自覚検査において、両眼共に完全矯正度数が処方された以後の輻輳／開散検査の動作を以下に説明する。
【００３０】
＜開散検査＞
ファンクションキー４５の「カイサン」１１１を押すと、自覚式屈折力検査装置２の両検査窓には、両眼側に、プリズム基底方向がＢ．Ｉ．／Ｂ．Ｏ．方向になるようにロータリープリズム１３６ａ、１３６ｂが配置され、視標には被検者が正読できる最も小さい文字、あるいはそれよりもやや大きめの文字が縦一列に呈示される。
【００３１】
解散検査では、スイッチ４３ａを押すことにより、Ｂ．Ｉ．プリズム度数を増加する方向にロータリプリズム１３６ａ、１３６ｂを回転する回転開始の指令信号が入力され、マイクロコンピュ−タ回路６０の制御によりパルスモータ１８１，１８４の駆動が開始される。次に、スイッチ４３ａを押すことにより、ロータリプリズム１３６ａ、１３６ｂの回転を停止する指令信号が入力され、パルスモータ１８１，１８４の駆動が停止される。スイッチ４３ｂを押した場合は、Ｂ．Ｉ．プリズム度数を減らす方向にロータリプリズム１３６ａ、１３６ｂを回転する回転開始の指令信号が入力され、再びスイッチ４３ｂを押すことにより、ロータリプリズム１３６ａ、１３６ｂの回転を停止する指令信号が入力される。
【００３２】
また、マイクロコンピュ−タ回路６０は、ロータリープリズム１３６ａ、１３６ｂを回転するとき、パルスモータ１８１，１８４を５パルス／秒以上の速度で回転し、かつ、プリズム度数が０．１〜１．０プリズム／秒の速度でゆっくり変化するように、駆動パルス信号を出力する。パルスモータ１８１，１８４を５パルス／秒以上の速度で駆動すれば、プリズム度数が５回／秒以上の速さで変化するので、その変化が連続的にスムーズな動きとして見える。また、この時、各パルスモータの１ステップ当たり回転によるプリズム変化量は、０．０５プリズム以下のステップが好ましく、さらに好ましくは０．０１プリズム以下のステップであるとよい。プリズム度数が０．１〜１．０プリズム／秒の速度で変化させるのは、この検査において、被検者の反応を確認しやすい速度だからである。例えば、パルスモータ１８１，１８４の回転によるプリズムステップが０．０１プリズム／パルスとなるように回転伝達機構を構成した場合には、１０〜１００パルス／秒の速度でパルスモータ１８１，１８４を駆動する。なお、この速度は、予めファンクションスイッチ１１７により設定しておく。スイッチ１１７を押すことにより、０．１〜１．０プリズム／秒の範囲で０．１プリズム／秒のステップ毎に切換できる。
【００３３】
検者は、スイッチ４３ａを一度押し、ロータリープリズム１３６ａ、１３６ｂを回転させてＢ．Ｉ．プリズムを連続的にゆっくりと加え、被検者に視標がボヤケたかどうかを確認する。ボヤケが確認できたところで、スイッチ４３ａを押してロータリープリズム１３６ａ、１３６ｂの回転を停止させた後、ファンクションキー４５の「ボヤケ」１１３を押し、ボヤケ点のプリズム量の値を記憶させる。
【００３４】
次に、スイッチ４３ａを一度押して、さらにＢ．Ｉ．プリズムを連続的にゆっくりと加え、被検者に視標が２つに見えたかどうかを確認する。視標が２つに見えたところで、スイッチ４３ａを押した後、ファンクションキー４５の「ブンリ（分離）」１１４を押し、分離点のプリズム量の値を記憶させる。
【００３５】
今度は、スイッチ４３ｂを一度押してＢ．Ｉ．プリズムを連続的にゆっくりと減らし、被検者に視標が１つに見えた（戻った）かどうかを確認する。視標が１つに見えたところで、スイッチ４３ｂを押した後、ファンクションキー４５の「カイフク（回復）」１１５を押し、回復点のプリズム量の値を記憶させる。
【００３６】
＜輻輳検査＞
ファンクションキー４５の「フクソウ」１１２を押すと、自覚式屈折力検査装置２の両検査窓には、両眼側に、プリズム基底方向がＢ．Ｉ．／Ｂ．Ｏ．方向になるようにロータリープリズム１３６ａ、１３６ｂが配置される。視標には被検者が正読できる最も小さい文字、あるいはそれよりもやや大きめの文字が縦一列に呈示される。
【００３７】
輻輳検査では、スイッチ４３ｂを押すことにより、Ｂ．Ｏ．プリズム度数を増加する方向にロータリプリズム１３６ａ、１３６ｂを回転する回転開始の指令信号が入力される。また、スイッチ４３ａを押すことにより、Ｂ．Ｏ．プリズム度数を減少する方向にロータリプリズム１３６ａ、１３６ｂを回転する回転開始の指令信号が入力される。そして、それぞれ再びスイッチ４３ｂ、４３ａを押すことにより、回転停止の指令信号が入力される。
【００３８】
検者は、スイッチ４３ｂを一度押し、ロータリープリズム１３６ａ、１３６ｂを回転させてＢ．Ｏ．プリズムを連続的にゆっくりと加え、被検者に視標がボヤケたかどうかを確認する。ボヤケが確認できたところで、スイッチ４３ｂを押してロータリープリズム１３６ａ、１３６ｂの回転を停止させた後、ファンクションキー４５の「ボヤケ」１１３を押し、ボヤケ点のプリズム量の値を記憶させる。
【００３９】
次に、スイッチ４３ｂを一度押して、さらに、Ｂ．Ｏ．プリズムを連続的にゆっくりと加え、被検者に視標が２つに見えたかどうかを確認する。視標が２つに見えたところで、スイッチ４３ｂを押した後、ファンクションキー４５の「ブンリ（分離）」１１４を押し、分離点のプリズム量の値を記憶させる。
【００４０】
今度は、スイッチ４３ａを一度押してＢ．Ｏ．プリズムを連続的にゆっくりと減らし、被検者に視標が１つに見えた（戻った）かどうかを確認する。視標が１つに見えたところで、スイッチ４３ａを押した後、ファンクションキー４５の「カイフク（回復）」１１５を押し、回復点のプリズム量の値を記憶させる。
【００４１】
なお、ロータリプリズムの回転開始／回転停止の指令信号を入力する方法は上記に限らず、次のようにしても良い。スイッチ４３ａ、４３ｂを押したときに回転開始の指令信号が入力され、スイッチ４３ａ、４３ｂを離したときに回転停止の指令信号が入力されるようにする。スイッチ４３ａ、４３ｂを押し続けている間、マイクロコンピュ−タ回路６０はロータリプリズムが連続回転するようにパルスモータを駆動する。
【００４２】
上記のように、輻輳／開散テストにおいて、スイッチ４３ａ、或いは４３ｂを押すとプリズム度数が増減する様にロータリープリズム１３６ａ、１３６ｂがゆっくりと連続的に回転する。ギヤヘッド１８２、１８５等の回転伝達機構によってパルスモータ１８１、１８４の回転が減速されているので、ロータリープリズム１３６ａ、１３６ｂのパルスモータ１パルスあたりの回転角度もギヤヘッド１８２、１８５の減速比（１／３０）にあわせて微小になる。パルスモータの１パルスあたりのプリズム変化量が０．０５プリズム以下のステップとすることにより、０．１〜１．０プリズム／秒のゆっくりしたプリズム度数の変化速度であっても、従来のような０．１プリズム毎の断続的な動作が軽減され、ロータリープリズム１３６ａ、１３６ｂの回転は比較的滑らかになる。
【００４３】
また、マイクロコンピュ−タ回路６０は、回転開始の指令信号が入力された後、回転停止の指令信号が入力されるまでパルスモータ１８１，１８４を駆動するように構成したため、従来のようにプリズム度数を変化させるための信号処理に時間が掛からず、連続的にプリズム度数を変化させることができる。
【００４４】
なお、輻輳／開散テストにおいては、初めにプリズム度数をある程度大きく変化させ、その後にゆっくりとしたプリズム度数の変化とした方が、検査を効率良く行える（特に、輻輳テストにおいては、通常、両眼で２０プリズム程度ある被検者が多い）。この場合には、ダイヤルスイッチ４２により予め被検眼に付与するプリズム度数（例えば１５プリズム）を設定する。例えば、ダイヤルスイッチ４２からのプリズム度数の設定信号が入力された場合、マイクロコンピュータ５０は、先の０．１〜１．０プリズム／秒より速い速度でパルスモータ１８１，１８４を回転する。パルスモータの１パルス当たりのプリズム変化量を０．０１プリズム／パルスとし、１０００パルス／秒でパルスモータを回転すれば、１０プリズム／秒で片眼のプリズム度数を変化できる。その後、スイッチ４３ａ、４３ｂを使用してゆっくりプリズム度数を変化させることにより、被検者は「ボヤケ」、「ブンリ（分離）」、「カイフク（回復）」を判別でき、手動式の自覚式屈折力測定装置（レフラクター）のロ−タリプリズム操作感覚に近い、スムーズなプリズム加入ができる。これにより、迅速かつ正確な検査が行える。
【００４５】
【発明の効果】
以上説明したように、本発明によれば、スムーズなプリズム度数の変化を実現でき、正確な視機能検査が可能になる。
【図面の簡単な説明】
【図１】検眼装置の全体構成を示す外観図である。
【図２】コントロ−ラ５を上から見た図である。
【図３】左眼測定用のレンズユニットの構成を示す図である。
【図４】装置の制御を説明するブロック図である。
【符号の説明】
２  自覚式眼屈折力測定装置
１０  レンズユニット
４２  ダイヤルスイッチ
４３ａ  スイッチ
４３ｂ  スイッチ
６０  マイクロコンピュ−タ回路
１０７  駆動回路
１０８  駆動回路
１１７  ファンクションスイッチ
１２６  第２補助レンズディスク
１３６ａ  ロータリプリズム
１３６ｂ  ロータリプリズム
１４６  ホルダ
１４７  ホルダ
１７６  太陽歯車
１７７  太陽歯車
１７８  リレー歯車
１７９  リレー歯車
１８１  パルスモータ
１８２  ギヤヘッド
１８３  ギヤ
１８４  パルスモータ
１８５  ギヤヘッド
１８６  ギヤ
【図１】
2004229789.tif 000003
【図２】
2004229789.tif 000004
【図３】
2004229789.tif 000005
【図４】
2004229789.tif 000006